(57)【要約】【解決課題】  本発明は、非磁性・非着磁性のストレッチャー、非磁性・非着磁性の車椅子、非磁性・非着磁性の台車等に着設する非磁性・非着磁性のキャスターを提供する。【解決手段】非磁性・非着磁性のホイール１２にゴムタイヤ１１を装着したキャスターのベアリングに非磁性・非着磁性のベアリング１８、１８を用いると共に、合成樹脂製のワッシャー１４ａ、１４ｂを着設することによって、従来のキャスターと変わらない摺動性の良い、静かな非磁性・非着磁性キャスター１００とした。【選択図】図１
2012071688.tif 000002
【特許請求の範囲】
【請求項１】
非磁性体・非着磁性体の車輪とヨークと車軸より構成される非磁性・非着磁性のキャスターであって、車輪と車軸の可動部分に非磁性・非着磁性のベアリングを用いると共に、合成樹脂製のワッシャーを着設して摺動性をよくしたことを特徴とする非磁性・非着磁性キャスター。
【請求項２】
非磁性体・非着磁性体の車輪とヨークと車軸より構成されるブレーキを有する非磁性・非着磁性のキャスターであって、車輪と車軸の可動部分に非磁性・非着磁性のベアリングを用いると共に、合成樹脂製のワッシャーを着設して摺動性をよくしたことを特徴とするブレーキを有する非磁性・非着磁性キャスター。
【請求項３】
前記車輪がアルミ製のホイールにゴムタイヤを装着したことを特徴とする請求項１又は２のいずれかに記載の非磁性・非着磁性キャスター。
【請求項４】
前記車輪が合成樹脂製のホイールにゴムタイヤを装着したことを特徴とする請求項１又は２のいずれかに記載の非磁性・非着磁性キャスター。
【請求項５】
請求項１から４のいずれかに記載の非磁性・非着磁性キャスターを着設したことを特徴とする非磁性・非着磁性ストレッチャー。
【請求項６】
請求項１から４のいずれかに記載の非磁性・非着磁性キャスターを着設したことを特徴とする非磁性・非着磁性車椅子。
【請求項７】
請求項１から４のいずれかに記載の非磁性・非着磁性キャスターを着設したことを特徴とする非磁性・非着磁性台車。
【発明の詳細な説明】
【技術分野】
【０００１】
ストレッチャー、車椅子、台車等に着設するための非磁性・非着磁性キャスターに関する。より詳しくは、ストレッチャー、車椅子、台車等に非磁性・非着磁性のキャスター（非磁性かつ非着磁性のキャスター）を着設して、ＭＲＩ等の診断装置が設置された施設内に持ち込むことができるように、非磁性・非着磁性ストレッチャー、非磁性・非着磁性車椅子、非磁性・非着磁性台車等に着設するための非磁性・非着磁性キャスターに関する。
【背景技術】
【０００２】
強力な磁気を発生するＭＲＩ（Ｍａｇｎｅｔｉｃ Ｒｅｓｏｎａｎｃｅ Ｉｍａｇｉｎｇ）の診断装置等の近傍に磁性を有する器具が、ＭＲＩ本体に向けて移動し、患者に衝突する等の事故が発生している。一般にストレッチャー、車椅子、台車等に着設するキャスターは非磁性体・非着磁性体ではないために、ＭＲＩの設置された施設内に持ち込むことができない等の問題があった。最近のＭＲＩは診断能力を上げるために磁気出力が向上してきた。このような強力な磁気を発生するＭＲＩの施設内で、磁気による事故の発生を防止するために、ＭＲＩ施設内で使用する機器、器具等が非磁性体・非着磁性体であることが望まれている。同様に、施設内に患者を搬入するための非磁性・非着磁性のストレッチャー、非磁性・非着磁性の車椅子や、諸道具を搬入するために必要な非磁性・非着磁性の台車等の開発が望まれている。
【０００３】
特許文献１の発明は、段落[０００８]「本発明のストレッチャーは、キャスターが設けられた基台と、疾病者を乗せるマット部と、該基台と該マット部との間に設けられ、該基台に対して該マット部を昇降させるパンタグラフ式のリンク機構と、該基台又は該マット部に設けられ、該リンク機構を伸縮させる昇降機構とを備えたストレッチャーにおいて、前記昇降機構は、前記基台又は前記マット部に第１軸回りで回転可能に設けられた第１歯車と、該第１歯車の回転により前後に進退して前記リンク機構を上下に伸縮させるクランクと、該基台又は該マット部と該第１歯車との間に設けられ、該リンク機構を上方向に伸長させる該第１歯車の一方向の回転を許容し、該第１歯車の他方向の回転を制限する第１ラチェットと、該第１歯車より歯数が少なく、該第１歯車と噛合する第２歯車と、手動によって操作され、該第１歯車が前記一方向に回転するように該第２歯車を駆動する操作ハンドルとを有することを特徴とする。」ストレッチャーが開示されている。
【０００４】
当該ストレッチャーは、特許文献１の段落[０００９]「本発明のストレッチャーにおいて、マット部を基台に対して上方に移動しようとする場合、操作ハンドルを手動によって操作して第２歯車を駆動し、第１歯車を第１軸回りで一方向に回転させる。この際、第２歯車は第１歯車より歯数が少ないため、第２歯車よりも第１歯車は減速され、操作ハンドルのトルクは小さくなっている。これにより、クランクが前後に進退してリンク機構が上方向に伸長する。また、第１ラチェットは、第１歯車の一方向の回転は許容するが、第１歯車の他方向の回転は制限するため、リンク機構は上方向に伸長のみすることとなる。こうして、このストレッチャーでは、マット部が基台に対して上方に移動することとなる。」ものであって、段落[００１０]「そして、このストレッチャーは、非磁性体への変更が困難又は不可能な従来のボールねじやコイルバネを昇降装置の構成部品として採用しておらず、非磁性体への変更が容易な第１歯車、クランク、第１ラチェット及び第２歯車を昇降装置の構成部品として採用しているため、多くの構成部品が非磁性体とされ得る。」ストレッチャーが開示されている。
【０００５】
特許文献２の段落[００２０]には、「また、本発明の折り畳み式車椅子において、全ての構成部材が非磁性体からなることが好ましい。この場合、ＭＲＩ検査の際に使用するのに適する。」車椅子が開示されている。当該車椅子は、段落[００２４]「右枠体１０は、右側板１３、右側板１３の後端辺に設けられた右グリップ板１４、右側板１３の下端辺に設けられた右幕板１５、右側板１３の上端辺に設けられた右アームレスト板１６及び右幕板１５の外側面から前方に延びる右フットレスト板１７を有している。右グリップ板１４の上部後面には、後方に延びる右グリップ板１４ｇが取付けられている。図２に示すように、右フットレスト板１７の前端部には、蝶番１７ｔにより固定された足乗せ台１７ｄが取付けられている。この足乗せ台１７ｄは、水平に延びた状態と垂直に延びた状態との間を揺動可能である。これら右枠体１０の構成部材は、ＳＵＳ３０４製の蝶番１７ｔを除いて全て木製である。」車椅子が開示されている。特許文献２の車椅子は非磁性の車椅子にするために、木で作製されたものであり、耐久性や使用勝手に問題があった。このように、ストレッチャーや車椅子に着設する非磁性・非着磁性のキャスターの出現が望まれていた。
【先行技術文献】
【特許文献】
【０００６】
【特許文献１】特開２００８−２５９６６７号公報
【特許文献２】特開２００８−２５９６６８号公報
【発明の開示】
【発明が解決しようとする課題】
【０００７】
本発明は、ストレッチャー、車椅子、台車等に着設するキャスターを、非磁性・非着磁性のキャスター（非磁性かつ非着磁性のキャスター）として前記ストレッチャー、車椅子、台車等に着設して、ＭＲＩ等の磁気を発生する診断装置が設置された施設内に持ち込むことができる非磁性・非着磁性のストレッチャー、非磁性・非着磁性の車椅子、非磁性・非着磁性の台車等に着設する非磁性・非着磁性キャスターを提供するものである。
【課題を解決するための手段】
【０００８】
非磁性・非着磁性のストレッチャー、非磁性・非着磁性の車椅子、非磁性・非着磁性の台車等に着設する非磁性・非着磁性のキャスターを提供するために鋭意研究を加えた結果、キャスターの心臓部であるベアリングに非磁性・非着磁性のベアリングを用いると共に、合成樹脂製のワッシャーを着設することによって、従来のキャスターと変わらない摺動性の良い、静かな非磁性・非着磁性キャスターを得ることに成功した。
【０００９】
本願発明の特徴は、非磁性体・非着磁性体の車輪とヨークと車軸より構成される非磁性・非着磁性のキャスターであって、車輪と車軸の可動部分に非磁性・非着磁性のベアリングを用いると共に、合成樹脂製のワッシャーを着設して摺動性をよくしたことを特徴とする非磁性・非着磁性キャスターである。非磁性・非着磁性のキャスターの作製にあたって、非磁性・非着磁性のベアリングを用いると共に、合成樹脂製のワッシャーを着設して摺動性をよく、静かな非磁性・非着磁性キャスターである。
【００１０】
本願発明のさらなる特徴は、パーキングブレーキを着設したことを特徴とする請求項１記載の非磁性・非着磁性キャスターである。非磁性・非着磁性キャスターにパーキングブレーキを着設して、ストレッチャーに着設して、どこでも安心して患者を乗降させることができる。
【００１１】
本願発明のさらなる特徴は、非磁性・非着磁性のベアリングを用いると共に、合成樹脂製のワッシャーを着設して摺動性をよくしたキャスターのアルミ製のホイールにゴムタイヤを装着したことを特徴とする非磁性・非着磁性キャスターである。
【００１２】
本願発明のさらなる特徴は、非磁性・非着磁性のベアリングを用いると共に、合成樹脂製のワッシャーを着設して摺動性をよくしたキャスターの合成樹脂製のホイールにゴムタイヤを装着したことを特徴とする非磁性・非着磁性キャスターである。
【００１３】
本願発明のさらなる特徴は、非磁性・非着磁性のベアリングを用いると共に、合成樹脂製のワッシャーを着設して摺動性をよくしたキャスターに合成樹脂製のホイール又はアルミ製のホイールにゴムタイヤを装着したことを特徴とする非磁性・非着磁性のキャスターを着設したことを特徴とする非磁性・非着磁性ストレッチャーを提供することができる。本願発明の非磁性・非着磁性ストレッチャーは磁気を発するＭＲＩ等の診断装置に引き寄せられることもなく、長時間ＭＲＩ装置を有する施設内に放置しても磁気を帯びない特徴を有している。
【００１４】
本願発明のさらなる特徴は、非磁性・非着磁性のベアリングを用いると共に、合成樹脂製のワッシャーを着設して摺動性をよくしたキャスターに合成樹脂製のホイール又はアルミ製のホイールにゴムタイヤを装着したことを特徴とする非磁性・非着磁性のキャスターを着設したことを特徴とする非磁性・非着磁性車椅子を提供することができる。本願発明の非磁性・非着磁性車椅子は磁気を発するＭＲＩ等の診断装置に引き寄せられることもなく、長時間ＭＲＩ装置を有する施設内に放置しても磁気を帯びない特徴を有している。
【００１５】
本願発明のさらなる、本願発明の特徴は、非磁性・非着磁性のベアリングを用いると共に、合成樹脂製のワッシャーを着設して摺動性をよくしたキャスターの合成樹脂製のホイール又はアルミ製のホイールにゴムタイヤを装着したことを特徴とする非磁性・非着磁性のキャスターを着設したことを特徴とする非磁性・非着磁性台車を提供することができる。本願発明の非磁性・非着磁性台車は磁気を発するＭＲＩ等の診断装置に引き寄せられることもなく、長時間ＭＲＩ装置を有する施設内に放置しても磁気を帯びない特徴を有している。
【００１６】
本願明細書中で使用する「非磁性体」・「非着磁性体」とは、非磁性・非着磁性ステンレス（例えば、ＳＵＳ３０４）、アルミニウム、シンチュウ、チタン、合成樹脂等を例示することができる。非磁性・非着磁性のベアリング、非磁性・非着磁性のボルト、非磁性・非着磁性のナット、非磁性・非着磁性のフレーム等は、例えば、非磁性・非着磁性ステンレス（例えば、ＳＵＳ３０４）、アルミニウム、シンチュウ、チタン等で製造されたものを例示することができる。
【発明の効果】
【００１７】
キャスターに非磁性・非着磁性のベアリングを用いると共に、合成樹脂製のワッシャーを着設して摺動性の良く、静かな非磁性・非着磁性のキャスターとして、ＭＲＩ等の磁気を発する装置を設置した近傍で使用できる非磁性・非着磁性のストレッチャー、非磁性・非着磁性の車椅子、非磁性・非着磁性の台車等に着設する非磁性・非着磁性のキャスターを提供することができる。さらに、非磁性・非着磁性のベアリングを用いると共に、合成樹脂製のワッシャーを着設して摺動性をよくした非磁性・非着磁性のキャスターに合成樹脂製、又はアルミ製のホイールにゴムタイヤを装着したことによって、静かな非磁性・非着磁性キャスターを提供することができる。本願発明の非磁性・非着磁性キャスターは長時間ＭＲＩの施設内に放置しても磁気を帯びない特徴を有している。
【図面の簡単な説明】
【００１８】
【図１】本発明の非磁性・非着磁性のキャスターの側面図である。
【図２】本発明の非磁性・非着磁性のキャスターの正面である。
【図３】本発明のフットブレーキを着設した非磁性・非着磁性のキャスターの側面図である。
【図４】フットブレーキを着設した非磁性・非着磁性のキャスターの部分分解図である。
【図５】本発明の非磁性・非着磁性のキャスターを着設したストレッチャーの側面図である。
【図６】本発明の非磁性・非着磁性のキャスターを着設した車椅子の側面図である。
【図７】本発明の非磁性・非着磁性のキャスターを着設した台車の斜視図である。
【発明を実施するための最良の形態】
【００１９】
以下に図面を用いて本発明の実施の態様についていくつかの好ましい形態を例示するが、特許請求の範囲に記載された発明の範囲を限定することは意図するものではない。
【実施例１】
【００２０】
非磁性・非着磁性キャスター
本発明の非磁性・非着磁性キャスター１００は図１の（１−１）に示すように、非磁性・非着磁性キャスターの車輪部分は、非磁性・非着磁性のホイール１２にゴム製のタイヤ１１を装着した車輪がヨーク１３に軸着されている。ヨーク１３の上部にはワッシャー１４が挿嵌されたシャフトインナーゴム１５が上下に装着され、非磁性・非着磁性の小判ナット１６で固定されている。非磁性・非着磁性キャスター１００の回動部分は円で囲ったＡ部分を図１の（１−２）に詳細に示している。非磁性・非着磁性キャスター１００の回動部分は図１の（１−２）に示すように、上部に非磁性・非着磁性のキャスターシャフト２４が着設され、その下に非磁性・非着磁性のヨークキャップ１７を冠着する。ヨークキャップ１７の下に合成樹脂製のワッシャー１４ａ、１４ｂ（本願発明では、１４ａに（商標）オイレス＃８０ワッシャー、１４ｂに（商標）オイレス＃８３ワッシャーを使用した。）を装着して、樹脂製のベアリングカラー１９を挟んで上下に非磁性・非着磁性のベアリング１８（本願発明では（商標）シンチュウベアリングＡ５を使用した。）を挿着した。ベアリング１８の下には、合成樹脂製のワッシャー１４ａ、１４ｂを装着した。ベアリング１８の上下に合成樹脂製のワッシャー１４ａ、１４ｂを挿着することによって、非磁性・非着磁性のキャスター１００の摺動性を良好にすることができた。
【００２１】
図２の（２−１）は非磁性・非着磁性のキャスター１００の正面図を示しており、円で囲ったＢ部分の詳細な図面を図２の（２−２）に示す。キャスターの車軸部分は、図２（２−２）に示すように、ホイール１２がヨーク１３にラジアル軸２１で軸着され、ホイール１２とヨーク１３の間にキャスターカラー２２、２２が挿着されている。ホイール１２は非磁性・非着磁性ベアリング１８ｂ、１８ｂ（本願発明においては、シンチュウベアリング（ラジアル）を使用した。）で軸着されている。さらにヨーク１３の外側にもベアリング１８ａ（本願発明においては、シンチュウベアリングを使用した。）を着設し、車軸ナット２３で固定した。車輪の大きさは通常車椅子やストレッチャーに着設される大きさであって、例えば４〜８インチであるがこれに限定されることはない。
【実施例２】
【００２２】
ブレーキを有する非磁性・非着磁性キャスター
図３はブレーキを有する非磁性・非着磁性キャスター２００の側面図を示している。図３の（３−１）に示すように、ヨーク１３の一端にブレーキレバー２８と該ブレーキレバー２８によって作動するブレーキシュー２９が着設されている。詳細は図３の（３−２）に示すように、スラスト軸２５の下にキャスターキャップ２６を冠着し、その下に合成樹脂製のワッシャー１４ａ、１４ｂ（本願においては、１４ａはオイレス＃８３ワッシャー、１４ｂはオイレス＃８０ワッシャーを使用した。）を着設し、ベアリング１８、１８を着設して、パーキングセレーション２７を配設して、ナット２０（本願においては、シンチュウ樹脂ナットを使用した。）で固定した。
【００２３】
図４の（４−１）はブレーキを有する非磁性・非着磁性キャスター２００の正面図を示している。図４の（４−２）の部分断面図に示すように、車輪はヨーク１３にラジアル軸２１に軸着され、その間にキャスターカラー２２、２２が装着されている。ホイール１２には非磁性・非着磁性のベアリング１８、１８が着設されており、ワッシャー１４（本願においては、シンチュウワッシャーを使用した。）とナット２０（本願においては、シンチュウ樹脂ナットを使用した。）で固定されている。
【００２４】
図４の（４−３）はブレーキ部分の部分断面図を示している。ブレーキレバー２８はキャップボルト３１とフォーマナット３２により軸動可能に軸着されている。
【実施例３】
【００２５】
非磁性・非着磁性キャスターの着設例
（ａ）ストレッチャー
本願発明の非磁性・非着磁性キャスター２００を非磁性・非着磁性フレームよりなるストレッチャー３３に着設した例を図５に示す。図５に示すストレッチャー３３は、非磁性・非着磁性ステンレス（例えば、ＳＵＳ３０４）、アルミニウム、シンチュウ、チタン、合成樹脂等を用いて構成された非磁性・非着磁性ストレッチャー３３である。このような非磁性・非着磁性ストレッチャー３３の脚部に本願発明のブレーキを有する非磁性・非着磁性キャスター２００を左右前後の４箇所に着設することができる。非磁性・非着磁性ストレッチャーに着設する非磁性・非着磁性キャスターはブレーキを有する非磁性・非着磁性キャスター２００に限定されることはなく、前後のどちらかにブレーキのない非磁性・非着磁性キャスター１００を着設しても良い。
（ｂ）車椅子
本願発明の非磁性・非着磁性キャスター１００を非磁性・非着磁性のフレームよりなる車椅子３４に着設した例を図６に示す。図６に示す非磁性・非着磁性車椅子３４は、非磁性・着磁性ステンレス（例えば、ＳＵＳ３０４）、アルミニウム、シンチュウ、チタン、合成樹脂等を用いて作製された非磁性・非着磁性車椅子である。このような非磁性・非着磁性車椅子の前脚部に本願発明の非磁性・非着磁性キャスター１００を着設することができる。
（ｃ）台車
本願発明の非磁性・非着磁性キャスター１００、２００を非磁性・非着磁性台車３５の前後に着設した例を図７に示す。図７に示す台車３５は、非磁性・非着磁性ステンレス（例えば、ＳＵＳ３０４）、アルミニウム、シンチュウ、チタン、合成樹脂等を用いて作製された非磁性・非着磁性の台車３５である。このような非磁性・非着磁性の台車３５の前後の下部に本願発明の非磁性・非着磁性キャスター１００、２００を着設することができる。台車に着設する非磁性・非着磁性のキャスター１００、２００は、前記ストレッチャーや車椅子に着設する非磁性・非着磁性キャスターに比較して小さく２〜４インチの車輪を使用する。
【符号の説明】
【００２６】
１００：本発明の非磁性・非着磁性キャスター
２００：本発明のブレーキを有する非磁性・非着磁性キャスター
１１：タイヤ
１２：ホイール
１３：ヨーク
１４：ワッシャー
１５：シャフトインナーゴム
１６：小判ナット
１７：ヨークキャップ
１８：ベアリング
１９：ベアリングカラー
２０：ナット
２１：ラジアル軸
２２：キャスターカラー
２３：車軸ナット
２４：キャスターシャフト
２５：スラスト軸
２６：キャスターキャップ
２７：パーキングセレーション
２８：ブレーキレバー
２９：ブレーキシュー
３０：ブレーキバネ
３１：キャップボルト
３２：フォーマナット
３３：ストレッチャー
３４：車椅子
３５：台車
【図１】
2012071688.tif 000003
【図２】
2012071688.tif 000004
【図３】
2012071688.tif 000005
【図４】
2012071688.tif 000006
【図５】
2012071688.tif 000007
【図６】
2012071688.tif 000008
【図７】
2012071688.tif 000009